【手続補正書】
【提出日】平成26年1月24日(2014.1.24)
【手続補正１】
【補正対象書類名】特許請求の範囲
【補正対象項目名】全文
【補正方法】変更
【補正の内容】
【特許請求の範囲】
【請求項１】
メール端末装置で実行されるメールクライアントプログラムにおいて、
前記メール端末装置の処理装置を、
パスワード入力欄が設けられた初期画面を表示して、ユーザによるパスワードの入力を受け付ける初期画面表示手段と、
送受信したメッセージをフォルダに収容して管理し、ユーザが指定したフォルダにシークレット設定を付与するメッセージ管理手段と、
前記初期画面表示手段が受け付けたパスワードが正しい場合には、前記メッセージ管理手段が管理する全てのフォルダをフォルダ一覧画面に表示し、前記初期画面表示手段が受け付けたパスワードが正しくない場合には、前記メッセージ管理手段によりシークレット設定が付与されていないフォルダのみを前記フォルダ一覧画面に表示するフォルダ一覧表示手段
として機能させることを特徴とするメールクライアントプログラム。
【請求項２】
前記処理装置を、さらに、
メッセージを送受信する相手のアドレスを登録したアドレス帳を管理し、ユーザが指定したアドレスにシークレット設定を付与するアドレス管理手段と、
前記初期画面表示手段が受け付けたパスワードが正しい場合には、前記アドレス管理手段が管理する全てのアドレスをアドレス一覧画面に表示し、前記初期画面表示手段が受け付けたパスワードが正しくない場合には、前記アドレス管理手段によりシークレット設定が付与されていないアドレスのみを前記アドレス一覧画面に表示するアドレス一覧表示手段
として機能させることを特徴とする請求項１に記載のメールクライアントプログラム。
【請求項３】
メール端末装置で実行されるメールクライアントプログラムにおいて、
前記メール端末装置の処理装置を、
パスワード入力欄が設けられた初期画面を表示して、ユーザによるパスワードの入力を受け付ける初期画面表示手段と、
メッセージを送受信する相手のアドレスを登録したアドレス帳を管理し、ユーザが指定したアドレスにシークレット設定を付与するアドレス管理手段と、
前記初期画面表示手段が受け付けたパスワードが正しい場合には、前記アドレス管理手段が管理する全てのアドレスをアドレス一覧画面に表示し、前記初期画面表示手段が受け付けたパスワードが正しくない場合には、前記アドレス管理手段によりシークレット設定が付与されていないアドレスのみを前記アドレス一覧画面に表示するアドレス一覧表示手段
として機能させることを特徴とするメールクライアントプログラム。
【請求項４】
パスワード入力欄が設けられた初期画面を表示して、ユーザによるパスワードの入力を受け付ける初期画面表示部と、
送受信したメッセージをフォルダに収容して管理し、ユーザが指定したフォルダにシークレット設定を付与するメッセージ管理部と、
前記初期画面表示部が受け付けたパスワードが正しい場合には、前記メッセージ管理部が管理する全てのフォルダをフォルダ一覧画面に表示し、前記初期画面表示部が受け付けたパスワードが正しくない場合には、前記メッセージ管理部によりシークレット設定が付与されていないフォルダのみを前記フォルダ一覧画面に表示するフォルダ一覧表示部と、
を有することを特徴とするメール端末装置。
【請求項５】
メッセージを送受信する相手のアドレスを登録したアドレス帳を管理し、ユーザが指定したアドレスにシークレット設定を付与するアドレス管理部と、
前記初期画面表示部が受け付けたパスワードが正しい場合には、前記アドレス管理部が管理する全てのアドレスをアドレス一覧画面に表示し、前記初期画面表示部が受け付けたパスワードが正しくない場合には、前記アドレス管理部によりシークレット設定が付与されていないアドレスのみを前記アドレス一覧画面に表示するアドレス一覧表示部と、
をさらに有することを特徴とする請求項４に記載のメール端末装置。
【請求項６】
パスワード入力欄が設けられた初期画面を表示して、ユーザによるパスワードの入力を受け付ける初期画面表示部と、
メッセージを送受信する相手のアドレスを登録したアドレス帳を管理し、ユーザが指定したアドレスにシークレット設定を付与するアドレス管理部と、
前記初期画面表示部が受け付けたパスワードが正しい場合には、前記アドレス管理部が管理する全てのアドレスをアドレス一覧画面に表示し、前記初期画面表示部が受け付けたパスワードが正しくない場合には、前記アドレス管理部によりシークレット設定が付与されていないアドレスのみを前記アドレス一覧画面に表示するアドレス一覧表示部と、
を有することを特徴とするメール端末装置。
【手続補正２】
【補正対象書類名】明細書
【補正対象項目名】発明の名称
【補正方法】変更
【補正の内容】
【発明の名称】メールクライアントプログラムおよびメール端末装置
【手続補正３】
【補正対象書類名】明細書
【補正対象項目名】０００１
【補正方法】変更
【補正の内容】
【０００１】
本発明は、メールクライアントプログラムおよびメール端末装置に関するものである。
【手続補正４】
【補正対象書類名】明細書
【補正対象項目名】０００９
【補正方法】変更
【補正の内容】
【０００９】
上記課題を解決するために、本発明の第１の観点は、メール端末装置で実行されるメールクライアントプログラムにおいて、メール端末装置の処理装置を、パスワード入力欄が設けられた初期画面を表示して、ユーザによるパスワードの入力を受け付ける初期画面表示手段と、送受信したメッセージをフォルダに収容して管理し、ユーザが指定したフォルダにシークレット設定を付与するメッセージ管理手段と、初期画面表示手段が受け付けたパスワードが正しい場合には、メッセージ管理手段が管理する全てのフォルダをフォルダ一覧画面に表示し、初期画面表示手段が受け付けたパスワードが正しくない場合には、メッセージ管理手段によりシークレット設定が付与されていないフォルダのみをフォルダ一覧画面に表示するフォルダ一覧表示手段として機能させることを特徴とする。
【手続補正５】
【補正対象書類名】明細書
【補正対象項目名】００１０
【補正方法】変更
【補正の内容】
【００１０】
上記メールクライアントプログラムは、処理装置を、メッセージを送受信する相手のアドレスを登録したアドレス帳を管理し、ユーザが指定したアドレスにシークレット設定を付与するアドレス管理手段と、初期画面表示手段が受け付けたパスワードが正しい場合には、アドレス管理手段が管理する全てのアドレスをアドレス一覧画面に表示し、初期画面表示手段が受け付けたパスワードが正しくない場合には、アドレス管理手段によりシークレット設定が付与されていないアドレスのみをアドレス一覧画面に表示するアドレス一覧表示手段として機能させるようにする。
【手続補正６】
【補正対象書類名】明細書
【補正対象項目名】００１１
【補正方法】変更
【補正の内容】
【００１１】
また、本発明の第２の観点としてのメール端末装置は、パスワード入力欄が設けられた初期画面を表示して、ユーザによるパスワードの入力を受け付ける初期画面表示部と、送受信したメッセージをフォルダに収容して管理し、ユーザが指定したフォルダにシークレット設定を付与するメッセージ管理部とを備える。そして、初期画面表示部が受け付けたパスワードが正しい場合には、メッセージ管理部が管理する全てのフォルダをフォルダ一覧画面に表示し、初期画面表示部が受け付けたパスワードが正しくない場合には、メッセージ管理部によりシークレット設定が付与されていないフォルダのみをフォルダ一覧画面に表示するフォルダ一覧表示部を有することを特徴としている。
【手続補正７】
【補正対象書類名】明細書
【補正対象項目名】００１２
【補正方法】変更
【補正の内容】
【００１２】
本発明のメールクライアントプログラムおよびメール端末装置は、初期画面表示手段の受け付けたパスワードが正しい場合には全てのフォルダを画面に表示し、入力されたパスワードが正しくない場合にはシークレット設定されていないフォルダのみを画面に表示するフォルダ一覧表示手段として処理部を機能させる。したがって、正しいパスワードを知っているユーザは初期画面で正しいパスワードを入力することにより全てのフォルダを閲覧することができるが、正しいパスワードを知らない第三者はシークレット設定されていないフォルダだけしか閲覧できず、無条件で全てのメッセージや情報が閲覧可能になることが防止される。また、ユーザの操作はシークレット設定されたフォルダを閲覧する場合でもパスワード入力１回で済み、シークレット設定されたフォルダを閲覧しない場合にはパスワード入力を省略しても良いので、操作が煩雑になることもない。
【手続補正８】
【補正対象書類名】明細書
【補正対象項目名】００１３
【補正方法】変更
【補正の内容】
【００１３】
また、本発明のメールクライアントプログラムおよびメール端末装置は、前記初期画面表示手段が受け付けたパスワードが正しい場合には全てのアドレスを画面に表示し、正しくない場合にはシークレット設定されていないアドレスのみを画面に表示するアドレス帳表示手段として処理部を機能させる。したがって、正しいパスワードを知っているユーザのみに全てのアドレスを閲覧させ、第三者または入力を省略したユーザにはシークレット設定されていないアドレスだけを閲覧させることができる。